(57)【要約】【課題】リボン型マイクロホン用リボンの製造方法、具体的にはリボンの素材に加圧して型を転写する際の歩留まりを改善し、リボンの製造を容易にするリボン型マイクロホン用リボンの製造方法を提供する。【解決手段】  転写型１１によって形成されたパターンを有してなるリボン型マイクロホン用リボン３の製造方法。リボン３を成形するための転写型１１に形成されている表面形状にリボン３の素材を押し付けて転写型１１の形状を転写する転写工程が、転写型１１の上に配置されたリボン３の素材の上に、弾性部材層１と弾性繊維層２とを有してなる弾性部材１７を、上記弾性繊維層２を下向きにして重ねる工程と、弾性部材１７を加圧手段で加圧し、転写型１１の表面形状をリボン３の素材に転写する工程を含む。【選択図】        図１
2011077853.tif 000002
【特許請求の範囲】
【請求項１】
転写型によって成形するリボン型マイクロホン用リボンの製造方法であって、
上記転写型に形成されている表面形状に上記リボンの素材を押し付けて転写型の形状を転写する転写工程が、
上記転写型の上に配置された上記リボンの素材の上に、弾性部材層と弾性繊維層とを有してなる弾性部材を、上記弾性繊維層を下向きにして重ねる工程と、
上記弾性部材を加圧部材で加圧し、上記転写型の表面形状を上記リボンの素材に転写する工程を含むリボン型マイクロホン用リボンの製造方法。
【請求項２】
転写型によってリボンに形成されたパターンは、リボンの長手方向に進行する形で稜線を上記リボンの長手方向に対し直交する方向に向けて形成された波形の大きなパターンと、上記波形のパターンよりも小さく上記リボンの長手方向に沿って形成された波形の小さなパターンを含む請求項１に記載のリボン型マイクロホン用リボンの製造方法。
【請求項３】
加圧部材は、ローラーである請求項１または２に記載のリボン型マイクロホン用リボンの製造方法。
【請求項４】
弾性部材は、ベルベット布である請求項１乃至３のいずれかに記載のリボン型マイクロホン用リボンの製造方法。
【請求項５】
弾性繊維層は、静電植毛で形成されている請求項１乃至４のいずれかに記載のリボン型マイクロホン用リボンの製造方法。
【請求項６】
磁界を形成する永久磁石と、上記磁界内に配置され音波を受けて振動するアルミニウムからなるリボンとを備えたリボン型マイクロホンであって、
上記リボンは、請求項１乃至５のいずれかに記載のリボン型マイクロホン用リボンの製造方法によって得られたリボンであるリボン型マイクロホン。
【発明の詳細な説明】
【技術分野】
【０００１】
本発明は、リボン型マイクロホン用リボンの製造方法、具体的にはリボン型マイクロホンユニットのリボン振動板の成形方法、および上記リボンを用いたリボン型マイクロホンに関するものである。
【背景技術】
【０００２】
リボン型マイクロホンは、磁界を形成する磁石と、リボン形振動板を主たる構成部材としている。上記磁石は所定の間隔をおいて配置されて磁石間に磁界が形成され、この磁界内にリボン形振動板が配置される。リボン形振動板は、通常、数μｍの厚さのアルミニウム箔からなる。アルミニウムは、他の金属素材と比較して導電抵抗が低く比重が軽いという特性を有しているため、リボン型マイクロホンのリボン形振動板として適している。また、一般的にリボン型マイクロホンにおいて、リボン形振動板は、共振周波数を低くするため、ギアなどを用いて屏風のように多段に折り曲げられることからも、延性のよい高純度のアルミニウムを材料にするのが好ましいとされている。
【０００３】
図４、図５は、従来知られているリボン型マイクロホンユニットの一例を示す。図４、図５において、リボン型マイクロホンユニットは、縦方向に長い長方形の枠形に形成されたフレーム７を備えている。フレーム７の内側面両側には、その長辺方向に沿って一対の永久磁石４，４が、双方の永久磁石間に所定の間隔をあけて固定されている。永久磁石４，４は幅方向（図４において左右方向）に着磁されている。双方の永久磁石４，４の着磁の向きは同じで、永久磁石４，４間に平行磁界が形成されている。
【０００４】
上記平行磁界内に、振動板と導電体を兼ねたリボン形振動板（以下、単に「リボン」という）３が配置されている。リボン３は細長い帯状をなしていて、長さ方向両端部が、フレーム７の長さ方向両端部に設けられている電極引き出し部６，６に固定されている。電極引き出し部６，６はフレーム７から絶縁され、この電極引き出し部６，６には端子板９，９が固定されている。リボン３に適度の張力を与えた状態で挟持部材８，８をねじ１０で端子板９，９にねじ込むことにより、リボン３の両端部５，５がそれぞれ端子板９，９と挟持部材８，８とで挟持されている。このようにして、電極引き出し部６，６がリボン３を介して電気的に導通している。リボン３の両側面と、これに対向する永久磁石４，４との間には、わずかな隙間が存在している。
【０００５】
リボン３は、電極引き出し部６，６に対応する両端部５，５以外の部分が長さ方向に一定の間隔ごとに交互に折り曲げられて三角波状に形成されている。この折り曲げによって形成される線の方向、すなわち三角波の山の頂上および谷底が描く線の方向は、リボン３の幅方向であり、これらの線が一定間隔で形成されている。
【０００６】
リボン３が音波を受けて振動する方向は永久磁石４，４間の磁束を切る方向で、導電体からなるリボン３が磁束を切ることによって発電し、リボン３の長さ方向両端間、したがって電極引き出し部６，６間に電気信号が発生する。この電気信号はリボン３の振動数および振幅に対応した振動数および振幅の信号となるので、リボン３が受ける音波に対応した電気信号に変換されることになる。
【０００７】
上述のように構成されるリボン型マイクロホンは双指向性であり、双指向性のリボン型マイクロホンの制御方式は質量制御であることから、共振周波数が低域になるように、リボン３の張力は極めて低く設定される。リボン３は両端部５，５以外の振動部分が長さ方向に一定の間隔ごとに交互に折り曲げられて三角波状に形成されることにより、低い張力を実現している。また、低域再生限界は、リボン３の共振周波数が低いほど、低い周波数にすることができる。
【０００８】
ところで、約２μｍの薄さであるアルミニウム箔であるリボン３を成形する従来の方法において、アルミニウム箔は広面積に応力を加えられると、アルミニウム箔の延性の限界を超えて破断してしまう問題がある。一般に、従来の多くのリボン型マイクロホンのリボン３は、長さ方向全体にわたって、三角波の山の頂部および谷底が描く線の方向がリボンの幅方向になるように形成されている。換言すれば、三角波が長さ方向全体にわたって進行している形に形成されている。このような形のリボンを製造するために、従来は、図６のように外周に三角形の山と谷からなる歯が一定間隔で形成されている２個一対の平歯車１８，１８を用いていた。一対の平歯車１８，１８は、歯のピッチと半径はもとより、全く同じ仕様のものを用いる。作業員は、一対の平歯車１８，１８を平滑な基板、例えばガラス基板の上に載せ、リボン３の素材であるアルミニウム箔を一対の平歯車１８，１８で挟み込み、一対の平歯車１８，１８を互いに押し付けあいながら、互いに逆向きに回転させ、上記素材を繰り出していく。こうすることにより、素材に一対の平歯車１８，１８の歯の形が転写され、上記のような波形のリボン３が形成される。しかしこの方法は、微妙な力の加え方によって捩れや曲がりが発生しやすいため、高度に熟練した技能を必要とするとともに、製品の歩留まりが悪いという難点がある。
【０００９】
そこで本発明者らは、転写型を用いたリボン型マイクロホン用リボンの製造方法を検討した。従来のリボン型マイクロホン用リボンの製造方法および製造に用いる転写型の一例を図７に示す。図７において、符号１１はリボン３をプレス成形によって製造するための転写型を示しており、符号１１Ｂは下型を、１１Ａは上型を示している。上下の転写型１１Ａ，１１Ｂは精密加工されていて、アルミニウム箔であるリボン３を挟み込んで成形する。リボン３の成形の際には、アルミニウム箔の一部に極端な張力が集中してかからないように慎重に成形される。この方法によれば、上記アルミニウム箔を挟み込んで相互に嵌め合わせることにより、リボン３を成形することができるが、アルミニウム箔を破断することなく転写型１１で成形すること自体が高度の技術を必要とする。また、この転写型１１を使用して熟練者が製造しても歩留まりの悪いものであった。より具体的には、転写型１１は、図７に符号１１Ｃあるいは１１Ｄで示すリボン３を成形するための波形の凹凸部分を有していて、この凹凸部分１１Ｃ、１１Ｄはともに剛体であることから、この凹凸部分１１Ｃ、１１Ｄの形がリボン３に転写されるとき、凹凸部分１１Ｃ、１１Ｄにおいてリボン３に局部的に応力が集中し、リボン３が破断しやすいという問題があった。
【００１０】
そこで、本発明者らは、リボンの成形の際に繊維の先端でリボンを加圧すると応力が分散されてリボンの変形などを防ぐことができるという知見に基づき、特許文献１乃至３に記載の発明を提案した。特許文献１に記載の発明は、図８に示すように、マイクロホン用リボンの形状と同一形状に形成されている転写型１１の表面に、リボン３の素材を仮固定し、外周面に弾性部材１３を有するローラ１２の上記弾性部材１３をリボン３の素材に押し付けながらローラ１２を転がすことにより、転写型１１の表面形状を、リボン３の素材に転写するものである。上記弾性部材１３は、例えば静電植毛によって形成された無数の繊維状の部材である。
【００１１】
特許文献２に記載の発明は、図９のように、リボン３の成形に際し、加圧部材として、剛体からなる錘１５に静電植毛したものを使用している。具体的には、錘１５の静電植毛層１６を下にして、転写型１１に固定されたリボン３に錘１５の上記静電植毛層１６をこすりつけ、転写型１１の形状をリボン３の素材に転写するものである。
【００１２】
特許文献１及び２記載の発明によれば、図１０に示すように、リボン３の成形に際して、繊維状の部材、すなわち特許文献１記載の発明の場合は弾性部材１３が、特許文献２記載の発明の場合は静電植毛層１６を構成する繊維状の部材が、リボン３を転写型１１の凸部に押し付ける際に、符号１６Ａで示すように撓む。繊維状の部材はそれ自体が弾性を有していて曲がることができるため、リボン３を緩やかに加圧しながら転写型１１の表面形状をリボン３に転写することができる。
【００１３】
しかしながら、特許文献１記載の弾性部材１３または特許文献２記載の静電植毛層１６を構成する繊維状の部材は、それぞれ剛体であるローラ１２または錘１５をベースにして形成されていて、上記弾性部材１３または繊維状の部材の撓みのみで転写型１１の凹凸に対応する必要がある。このことが、転写時にリボン３が破断するという課題を完全に解消することができない要因となっている。すなわち、転写型１１の凹凸およびその高低差に対応させてリボン３を成形するには、上記弾性部材１３または繊維状の部材に、ある程度の長さと硬さを持たせる必要がある。しかし、上記弾性部材１３または繊維状の部材にある程度の長さを持たせながらある程度の硬さを持たせると、上記弾性部材１３または繊維状の部材の剛性が高くなる。かかる弾性部材１３または繊維状の部材でリボン３を転写型１１の凹凸に押圧すると、転写型１１の凸部においてリボン３に応力が集中し、リボン３が破断しやすくなる。
【００１４】
また、上記弾性部材１３または繊維状の部材を静電植毛で形成しようとすると、静電植毛は元来、飛翔させる繊維の長さに限界があるため、図１０に示すように、上記弾性部材１３または繊維状の部材が転写型１１の凹凸の谷底まで届かず、リボン３に転写型１１の形状を転写することができないこともありえる。なお、特許文献３には、上述の特許文献１、２に記載されているような、弾性部材を有するローラまたは静電植毛層を有する錘を使用することができるリボンの転写型が記載されている。この転写型は、リボンの長手方向に進行する波形のパターンと、この波形のパターンよりも小さくリボンの長手方向に沿って形成された波形の小さいパターンとを有していることを特徴としている。しかし、特許文献３に記載されている転写型に対し、押圧部材として特許文献１，２記載の弾性部材を有するローラまたは静電植毛層を有する錘を使用すると、前述のリボンの破断の問題を完全に解決することはできず、押圧部材の改良が望まれている。
【先行技術文献】
【特許文献】
【００１５】
【特許文献１】特開２００７−４９３２４号公報
【特許文献２】特開２００９−１０５５０６号公報
【特許文献３】特開２００９−１９４６６９号公報
【発明の概要】
【発明が解決しようとする課題】
【００１６】
本発明は、以上説明してきた従来技術の問題点を解消し、転写型によって成形されるリボン型マイクロホン用リボンの製造方法において、リボンの素材に加圧して型を転写する際の歩留まりを改善し、リボンに歪みや変形、破断などの問題が生じることなく、リボンの製造を容易にするリボン型マイクロホン用リボンの製造方法およびこの方法で製造されたリボンを備えたリボン型マイクロホンを提供することを目的とする。
【課題を解決するための手段】
【００１７】
本発明は、転写型によって成形するリボン型マイクロホン用リボンの製造方法であって、上記転写型に形成されている表面形状に上記リボンの素材を押し付けて転写型の形状を転写する転写工程が、上記転写型の上に配置された上記リボンの素材の上に、弾性部材層と弾性繊維層とを有してなる弾性部材を、上記弾性繊維層を下向きにして重ねる工程と、
上記弾性部材を加圧部材で加圧し、上記転写型の表面形状を上記リボンの素材に転写する工程を含むことを最も主要な特徴とする。
【発明の効果】
【００１８】
本発明によれば、転写型の上に配置されたリボンの素材の上に、弾性部材層とこの弾性部材層に重ねて形成された弾性繊維層を有してなる平面状の弾性部材の上記弾性繊維層を重ね、この弾性部材を加圧部材で加圧するようにしたため、弾性繊維層のみでなく、弾性部材層も転写型の凹凸に倣って撓み、弾性繊維層を構成する個々の弾性繊維が、リボンを転写型の凹凸に押し付け、リボンに転写型の凹凸を忠実に転写する。上記個々の弾性繊維は、弾性部材層の撓みと相まって転写型の凹凸に忠実に倣いながら柔軟に対応するため、転写型の凹凸部分におけるリボンに、局部的な応力の集中がなく、リボンの破断を回避することができる。また、リボンに歪みや変形などの支障を生じさせず、リボン製造の歩留まりを改善することができる。
【図面の簡単な説明】
【００１９】
【図１】本発明にかかるリボン型マイクロホン用リボンの製造方法の実施例の一工程を示す断面図である。
【図２】上記実施例の他の工程を示す断面図である。
【図３】上記実施例における弾性部材とリボンの状態を拡大して示す断面図である。
【図４】従来のリボン型マイクロホンの例を示す横断面図である。
【図５】上記リボン型マイクロホンの縦断面図である。
【図６】従来のリボン型マイクロホン用リボンの製造方法の一例を示す模式図である。
【図７】従来のリボン型マイクロホン用リボンの製造方法の他の例を示す断面図である。
【図８】従来のリボン型マイクロホン用リボンの製造方法のさらに他の例を示す断面図である。
【図９】従来のリボン型マイクロホン用リボンの製造方法のさらに他の例を示す断面図である。
【図１０】上記従来のリボン型マイクロホン用リボンの製造方法における弾性繊維とリボンの状態を拡大して示す断面図である。
【発明を実施するための形態】
【００２０】
以下、本発明に係るリボン型マイクロホン用リボンの製造方法の実施例を、図１乃至図３を参照しながら説明する。なお、本発明の特徴は、リボンの素材に対する転写型の表面に形成されている特定形状の凹凸の転写方法ないしはその時使用する加圧部材の構成にある。なお、以下に説明する実施例は、好ましい一例を示すものであって、この実施例に係るリボンの形状や、リボン型マイクロホンの製造方法に限定されるものではない。また、前述の従来例の構成と共通する構成部分には共通の符号を付している。
【実施例】
【００２１】
図１において、上面にリボンに転写すべき特定の凹凸形状が形成された転写型１１には、上記上面に、リボン３の素材が載せられ、その上にさらに平面状の弾性部材１７が重ねられている。転写型１１の上面の凹凸形状は任意で、例えば、特許文献３に記載されているような凹凸形状のものであってもよい。弾性部材１７は、弾性部材層１と、この弾性部材層１をベースとしてこれに重ねて形成された弾性繊維層２を有してなる。弾性部材１７は、その弾性繊維層２を下向きにして上記リボン３の素材に重ねる。したがって、弾性繊維層２がリボン３の素材の上に載る。そして図２に示すように、弾性部材１７の上からすなわち弾性部材層１の上から、加圧部材であるローラ１２を押し付けながら、リボン３の長手方向に転がす。こうすることにより、転写型１１の表面形状が、リボン３の素材に転写される。
【００２２】
弾性部材１７は弾性部材層１と弾性繊維層２からなっているため、図３に示すように、弾性部材１７がローラ１２で加圧されると、弾性部材層１が転写型１１の凹凸に倣って弾力を持って撓む。また、弾性繊維層２を構成する個々の繊維は、弾性部材層１の下面からリボン３の上面までの距離に応じて、この距離が短ければ大きく撓み、上記距離が長ければ延びてリボン３を上記凹凸面に押し付ける。
【００２３】
このように、上記実施例によれば、弾性部材１７が弾性部材層１と弾性繊維層２からなっていて、弾性繊維層２を構成する個々の繊維の撓みによってのみリボン３を転写型１１の凹凸に加圧するのではなく、弾性部材層１が転写型１１の凹凸に倣って撓むことも、リボン３への転写に加担している。したがって、転写型１１の凹凸の高低差に対して弾性繊維層２を構成する個々の繊維の長さを比較的短くすることができ、上記凹凸形状をリボン３に転写するときの上記個々の繊維の伸縮量を少なくすることができる。これにより、上記個々の繊維による転写型１１の凹凸に対するリボン３の加圧力を比較的均一にすることができ、リボン３が破断することを防ぐことができる。特に、弾性繊維層２を静電植毛によって形成する場合、繊維の長さを長く形成することは難しいので、比較的短い繊維にならざるを得ないが、その場合でも、上記のとおり弾性部材層１の撓みによって繊維の長さが補完されるので、繊維が上記凹凸に底まで届かなくなるというような不具合を解消することができる。
【００２４】
前述のとおり、リボン３に形成される転写型１１の表面の凹凸形状は任意である。例えば、リボンの長手方向に進行する形で稜線をリボン３の長手方向に対し直交する方向に向けて形成された波形の大きなパターンと、上記波形のパターンよりも小さくリボンの長手方向に沿って形成された波形の小さなパターンとを組み合わせたものであってもよい。すなわち、この凹凸パターンは、特許文献３に記載されている転写型の凹凸パターンと同じにできる。具体的には、リボンの長手方向に沿って形成された波形の小さなパターンは、上記リボンの長手方向に対し直交する方向に複数個並べられ、交互に位置をずらして形成されている。本発明の上記実施例にかかるリボン３の製造方法によれば、上述のような複雑な凹凸を組み合わせた転写型をリボンに転写する場合でも、上記凹凸形状を忠実に転写することができる。
【００２５】
上記実施例において、ローラ１２は、弾性部材１７をリボン３に向かって加圧する加圧部材として用いられている。加圧部材としては、必ずしもローラによることなく、例えば平板状のもの、あるいは棒状のものなどでも差支えないが、図示の実施例で用いられているようなローラ１２が好適である。そして、ローラ１２を用いる場合、その直径は、転写型１１の上面に形成されている凹凸の間隔に対応して決定するとよい。
【００２６】
弾性部材１７は、ベルベット布で代替することができる。ベルベット布は、弾性部材層に弾性繊維層が織り込まれているのと同一視することができる織物であるからである。なお、弾性部材１７は、平面状であり、リボン３を覆い尽くせるだけの面積を有していればよく、形状は任意である。弾性繊維層２は、適宜の弾性部材層１に静電植毛で形成されていてもよい。弾性部材層１の素材としては、上述の加圧部材で加圧されたとき撓むことができるものであれば、適宜のものを選択することができる。例えば、ポリエステル合成繊維、ポリアミド合成繊維、セルロース繊維、絹、綿で構成された生地などが挙げられる。弾性繊維層２に用いられるパイルとしては、適宜の繊維が使用でき、例えばポリアミド合成繊維、セルロース繊維、ウールなどが挙げられる。また、ベルベット布は、入手がし易く、静電植毛を用いた弾性部材を作成するより安く手に入るためコストダウンの効果が期待でき好ましい。
【００２７】
図１乃至図３に示した実施例の具体的な仕様の例を挙げておく。加圧部材であるローラ１２の直径は３０ｍｍ程度であり、上述の転写型１１の波形のピッチは４〜５ｍｍで、その深さは０．６ｍｍ程度である。ローラ１２の径は、上記波形のピッチに比して大きすぎると繊維が上記波形の凹凸の凹部に入り込みにくくなる。そのため上記凹部の深さが、ピッチの比して大きい場合においては、ローラ１２の径を小さくすると好ましい。なお、加圧部材としてはローラ１２に限らず、ブラシなど適宜のものを選択してもよい。また、ローラ１２は加圧時に便利なように適宜の補助部品、例えば、加圧力を一定に保つことができる加圧装置などを備えていてもよい。ローラ１２は適宜の材質で形成でき、ローラ１２の外周面にはスポンジなどの弾性材を巻き付けてもよく、ローラ１２自体がスポンジであってもよい。
【００２８】
上述のようにすることで、リボン型マイクロホン用リボンの製造工程において、リボン成形する際に、リボンに歪みや変形、破断などの支障を生じさせることがなく、リボン型マイクロホンユニットあるいはリボン型マイクロホンの製造工程における歩留りを改善することができる。なお、本発明は、そのほかあらゆる形状のリボンの形成にも適用することができる。
【００２９】
上記の製造方法で製造されたリボンは、図４、図５に示すリボン型マイクロホンユニット用のリボンとしてこれに組み込むことができる。このリボン型マイクロホンユニットは、これをマイクロホンケースに組み込み、外部に接続するためのコネクタを設けることによって、リボン型マイクロホンを構成することができる。
【産業上の利用可能性】
【００３０】
本発明に係るリボン型マイクロホンユニット用リボンの製造方法によって、リボン型マイクロホンユニット用リボンを歩留りよく安価に製造することができるため、リボン型マイクロホンの製造コストを安くすることができ、リボン型マイクロホンの普及を促進する可能性がある。
本発明に係るリボン型マイクロホンユニット用リボンの製造方法は、用途が特に限定されるものではないが、アルミニウム箔を素材としたリボンの形成に適しており、その他厚さの薄い金属部材を成形する際にも利用することができる。
【符号の説明】
【００３１】
１    弾性部材層
２    弾性繊維層
３    リボン型振動板（リボン）
１１  転写型
１２  ローラ
１７  弾性部材
【図１】
2011077853.tif 000003
【図２】
2011077853.tif 000004
【図３】
2011077853.tif 000005
【図４】
2011077853.tif 000006
【図５】
2011077853.tif 000007
【図６】
2011077853.tif 000008
【図７】
2011077853.tif 000009
【図８】
2011077853.tif 000010
【図９】
2011077853.tif 000011
【図１０】
2011077853.tif 000012